(57)【特許請求の範囲】
【請求項１】
送信期間とこの送信期間よりも長い送信休止期間とを具備し、１つの上記送信期間に同一の伝送情報を複数回送信し、１つの上記送信期間と１つの上記送信休止期間とによって１つの送信サイクルを形成し、この送信サイクルを繰り返す送信装置と；
上記送信装置からの伝送情報を受信する受信期間と、この受信期間よりも短い受信休止期間とを具備し、１つの上記受信期間と１つの上記受信休止期間とによって１つの受信サイクルを形成し、この受信サイクルを繰り返す受信装置と；
を有し、上記送信休止期間と上記受信休止期間とがほぼ同一であることを特徴とする伝送システム。
【請求項２】
請求項１において、
上記送信装置は、１つの送信期間に同一の伝送情報を３回以上送信する装置であることを特徴とする伝送システム。
【請求項３】
請求項１または請求項２において、
１つの上記伝送情報は、上記伝送情報の開始を示す同期データと、上記送信装置のＩＤデータと、上記伝送情報の内容を示すメッセージデータとを具備する情報であることを特徴とする伝送システム。
【請求項４】
請求項１〜請求項３のいずれか１項において、
上記送信装置は、火災感知器、ガス漏れ感知器、火災発信機のうちの少なくとも１つであり、上記受信装置は、音響装置、発光装置、振動装置のうちの少なくとも１つであることを特徴とする伝送システム。
【発明の詳細な説明】
【技術分野】
【０００１】
本発明は、伝送システムに関し、特に、防災システムに適した伝送システムに関する。
【背景技術】
【０００２】
従来のセンサシステムでは、端末機器と受信盤との間で、端末機器が、所定時間毎に信号を送信する定期送信の動作を実行する（たとえば、特許文献１参照）。
【特許文献１】特開２００３−０１６５５５号公報
【発明の開示】
【発明が解決しようとする課題】
【０００３】
しかし、上記従来の伝送システムにおいては、受信盤が商用電源を用いているので、定期送信において、端末機器の負担を軽減させれば足りるが、送信側と受信側との双方が、電池駆動である場合、その電池の寿命を長くすることが要望され、この要望に応えるためには、送信側、受信側の双方で、消費電流を少なくする必要がある。
【０００４】
本発明は、伝送システムの送信側、受信側の双方において、消費電流が少ない伝送システムを提供することを目的とする。
【課題を解決するための手段】
【０００５】
本発明は、送信期間とこの送信期間よりも長い送信休止期間とを具備し、１つの上記送信期間に同一の伝送情報を複数回送信し、１つの上記送信期間と１つの上記送信休止期間とによって１つの送信サイクルを形成し、この送信サイクルを繰り返す送信装置と、上記送信装置からの伝送情報を受信する受信期間と、この受信期間よりも短い受信休止期間とを具備し、１つの上記受信期間と１つの上記受信休止期間とによって１つの受信サイクルを形成し、この受信サイクルを繰り返す受信装置とを有し、上記送信休止期間と上記受信休止期間とがほぼ同一である伝送システムである。
【発明の効果】
【０００６】
本発明によれば、伝送システムの送信側、受信側の双方において、消費電流が少ないという効果を奏する。
【発明を実施するための最良の形態】
【０００７】
発明を実施するための最良の形態は、以下の実施例である。
【実施例１】
【０００８】
図１は、本発明の実施例である無線式防災システム１００を示すブロック図である。
【０００９】
無線式防災システム１００は、送信装置Ｔと、受信装置Ｒとを有する。
【００１０】
送信装置Ｔは、火災感知器ＳＥａと、ガス漏れ感知器ＳＥｂと、火災発信機ＳＥｃとによって構成されている。なお、送信装置Ｔは、火災感知器ＳＥａと、ガス漏れ感知器ＳＥｂと、火災発信機ＳＥｃとのうちの少なくとも１つによって構成されていれば足りる。
【００１１】
また、送信装置Ｔは、送信期間とこの送信期間よりも長い送信休止期間とを具備し、１つの上記送信期間に同一の伝送情報を複数回送信し、１つの上記送信期間と１つの上記送信休止期間とによって１つの送信サイクルを形成し、この送信サイクルを繰り返す送信装置の例である。
【００１２】
火災感知器ＳＥａは、煙感知器や熱感知器等である。ガス漏れ感知器ＳＥｂは、都市ガスやＬＰガスの検出素子を備えた感知器である。火災発信機ＳＥｃは、火災の発見者が手動で操作して火災警報するための押しボタン装置である。
【００１３】
受信装置Ｒは、音響装置２０と、発光装置３０と、振動装置４０とによって構成されている。なお、受信装置Ｒは、音響装置２０と、発光装置３０と、振動装置４０とのうちの少なくとも１つによって構成されていれば足りる。
【００１４】
また、受信装置Ｒは、送信装置Ｔからの伝送情報を受信する受信期間と、この受信期間よりも短い受信休止期間とを具備し、１つの上記受信期間と１つの上記受信休止期間とによって１つの受信サイクルを形成し、この受信サイクルを繰り返す受信装置の例である。
【００１５】
そして、上記送信休止期間と上記受信休止期間とがほぼ同一である。
【００１６】
音響装置２０は、たとえばブザーでよいが、音声警報することができる装置であることが好ましい。発光装置３０は、強い光の点滅によって警報するいわゆるストロボ警報装置である。振動装置４０は、振動を人体に感じさせて警報するいわゆるバイブレータである。
【００１７】
図２は、防災システム１００に使用されている火災感知器ＳＥａを示すブロック図である。
【００１８】
火災感知器ＳＥａは、火災検出部１１と、電池１２と、電源回路１３と、アンテナ１４と、送信回路１５と、電圧監視回路１６と、制御回路１７と、記憶部１８と、表示灯１９とを有する。
【００１９】
送信回路１５は、図２では、伝送回路として受信回路を有しない。電圧監視回路１６は、電源供給の有無を確認する。制御回路１７は、マイコン等によって構成されている。記憶部１８は、必要なデータを保持するメモリである。表示灯１９は、点灯・点滅によって火災発報や電源電圧低下の状態を表示する。
【００２０】
また、火災感知器ＳＥａには、受信回路が設けられておらず、物理現象を検出する検出部分と、この検出された物理現象を送信する送信回路とのみが設けられている。
【００２１】
ガス漏れ感知器ＳＥｂは、火災感知器ＳＥａにおいて、火災検出部１１の代わりに、ガス検出部等が設けられている機器である。また、火災発信機ＳＥｃは、火災検出部１１の代わりに、押しボタン操作を検出するスイッチ入力部が設けられている機器である。
【００２２】
さらに、送信装置Ｔとしての火災感知器ＳＥａ、ガス漏れ感知器ＳＥｂは、自己復旧する感知器であり、しかも、自己復旧した場合、自己復旧した旨を、上記所定のデジタルコードに含めて送信する装置である。
【００２３】
図３は、防災システム１００に使用されている音響装置２０を示すブロック図である。
【００２４】
音響装置２０は、アンテナ２１と、受信回路２２と、制御部２３と、記憶部２４と、電源回路２５と、電池２６と、電圧監視回路２７と、駆動回路２８と、スピーカ２９と、表示灯２０１とを有する。なお、音響装置２０は、受信装置Ｒの例であり、送信回路を有してはいない。
【００２５】
受信回路２２は、送信装置Ｔからの信号を受信する。駆動回路２８は、音響鳴動を駆動し、音声の場合、音声ＩＣ等によって構成されている。スピーカ２９の代わりに、ブザー等を使用するようにしてもよい。表示灯２０１は、点灯・点滅によって、駆動中や電源電圧低下の状態を表示する。
【００２６】
発光装置３０は、音響装置２０において、駆動回路２８の代わりに、発光用の駆動装置が使用され、スピーカ２９の代わりに、ストロボ等の発光部を使用しているものである。
【００２７】
振動装置４０は、音響装置２０において、駆動回路２８の代わりに、振動部を使用したものである。
【００２８】
ここで、送信装置Ｔとしての火災感知器ＳＥａは、送信のみを実行し、受信を行わないので、受信動作に関する消費電流が流れず、また、受信回路を設ける必要がないので、この分のコストを削減することができる。
【００２９】
一方、受信装置Ｒとしての音響装置２０、発光装置３０、振動装置４０が、送信を行わないので、送信動作に関する消費電流が流れず、また、送信回路を設ける必要がないので、この分のコストを削減することができる。
【００３０】
上記実施例によれば、たとえば、火災感知器を送信専用端末として使用し、音響装置を受信専用端末として使用することができるので、防災システム１００の装置構成が簡素であり、また、消費電流を低減することができる。
【００３１】
また、上記実施例によれば、自己完結型の火災警報器のように、火災感知器でありしかも音響装置である必要がなく、たとえば火災感知器に音響装置という余分な機能を具備する必要がなく、また、住宅等に、機能に合わせた配置が可能である。
【００３２】
さらに、上記実施例において、各機器が独自の電源（電池）を有していれば、電源線接続を省略することができるので、接続作業が不要である。同様に、上記実施例において、上記各機器における信号伝送を無線式とすれば、各機器を、天井面や壁面に設置すれば足り、上記各機器の取り替えや配置替え等、作業性が格段に向上する。すなわち、電池式かつ無線式であれば、各機器への配線作業は全く不要であり、かつ、自由に配置することができ、素人でも扱い易いシステムとなる。
【００３３】
図４は、防災システム１００の動作を示すタイムチャートである。
【００３４】
図４（１）は、防災システム１００における送信装置Ｔの動作を示すタイミングチャートである。
【００３５】
図４（１）に示すように、送信装置Ｔ（端末）が火災を検出し、火災信号を送出する等、信号の送信が必要な要因が発生した場合に、送信装置Ｔが信号送信を開始する。また、信号送信開始タイミングは、原則として、受信装置Ｒのオンオフ動作とは無関係であり、相互の同期はとれていない。
【００３６】
なお、送信装置Ｔは、その送信期間Ａが、たとえば０．５秒であり、送信休止期間Ｂが、たとえば１．５秒であり、送信期間Ａが、たとえば５回発生する。つまり、１つの送信期間Ａと１つの送信休止期間Ｂとによって、１サイクルが構成され、送信装置Ｔは、複数回として５サイクル繰り返す。すなわち、オン、オフを５回繰り返す。
【００３７】
図４（４）は、防災システム１００において、１つの送信期間Ａに含まれている伝送情報Ｆ１、Ｆ２、Ｆ３を示す図である。
【００３８】
１つの送信期間Ａに、伝送情報Ｆ１、Ｆ２、Ｆ３が含まれ、これらは同じ情報の連続送信であって、つまり、１つの送信期間Ａに、同じ伝送情報が３回送信される。
【００３９】
図４（３）は、防災システム１００において、受信装置Ｒが受信したタイミングを示すタイミングチャートである。
【００４０】
図４（５）は、防災システム１００において、伝送情報Ｆ１の内容例を示す図である。
【００４１】
伝送情報Ｆ１は、図４（５）に示すように、送信開始のタイミングをとる同期信号ＦＦと、送信する端末を識別する呼出名称信号ＡＤと、情報のデータであるメッセージＭＳとによって構成されている。なお、図４（５）に示すような伝送情報Ｆ１を１つのフレームとして、ビット同期信号およびフレーム同期信号等、所定のＲＣＲデータを先頭に加え、１つの伝送情報としてもよい。
【００４２】
図４（２）は、防災システム１００において、受信装置Ｒの動作を示すタイミングチャートである。
【００４３】
受信装置Ｒにおける信号受信開始タイミングは、原則として、送信装置Ｔのオンオフ動作とは無関係であり、相互の同期はとれていない。
【００４４】
なお、受信装置Ｒは、その受信期間Ｃが、たとえば２．０秒であり、受信休止期間Ｄが、たとえば１．５秒である。つまり、１つの受信期間Ｃと１つの受信休止期間Ｄとによって、１サイクルが構成され、受信装置Ｒは、常時このサイクルを繰り返す。すなわち、オン、オフを常時繰り返す。
【００４５】
図４（３）は、図４（１）、図４（２）に示す状態において、受信装置Ｒが伝送情報Ｆ１、Ｆ２、Ｆ３を受信したタイミングを示すタイムチャートである。
【００４６】
図４（３）において、図４（２）のオン、図４（１）のオンが重なるタイミングで、伝送が成立する。つまり、図４（１）に示すように、送信装置Ｔにおける１回目のオンと、受信装置Ｒのオンとが同時期に発生しないが、送信装置Ｔにおける２回目のオンと、受信装置Ｒのオンとが同時期に発生し、この場合に、伝送が成立する。この場合に、伝送情報Ｆ１、Ｆ２、Ｆ３のうちの少なくとも２つが受信される。
【００４７】
図５は、実施例１において、受信回路Ｒの出力信号のＯＮ信号が終了する直前に、送信回路Ｔが送信を開始する場合におけるタイムチャートを示す図である。
【００４８】
まず、送信回路Ｔの送信期間Ａ、送信休止期間Ｂと、受信回路Ｒの受信期間Ｃ、受信休止期間Ｄとの関係は、以下の通りである。
【００４９】
送信期間Ａ＝（受信期間Ｃ−送信休止期間Ｂ）
送信休止期間Ｂ＝受信休止期間Ｄ
図５には、受信回路Ｒの動作（ａ）に対して、送信回路Ｔによる送信の開始時期がずれる（ｂ１〜ｂ４）と、受信可能な伝送情報（ｃ１〜ｃ４）がどのように変化するかを示してある。それぞれにおいて、タイミングｔ１は、送信回路Ｔの送信開始タイミングであり、タイミングｔ２は、２つの伝送情報の受信が完了したタイミングである。
【００５０】
図６は、実施例１において、受信回路Ｒの出力信号のＯＦＦ信号が終了する直前に、送信回路Ｔが送信を開始する場合におけるタイムチャートを示す図である。
【００５１】
まず、図６においても、送信回路Ｔの送信期間Ａ、送信休止期間Ｂと、受信回路Ｒの受信期間Ｃ、受信休止期間Ｄとの関係は、図５と同様である。また、図６においても、受信回路Ｒの動作（ａ）に対して、送信回路Ｔによる送信の開始期間がずれる（ｂ１〜ｂ４）と、受信可能な送信情報（ｃ１〜ｃ４）がどのように変化するかを示している。
【００５２】
図６において、送信回路Ｔの送信休止期間Ｂが受信休止期間Ｄとほぼ同一であるとし、受信回路Ｒの受信期間Ｃが短くなると、送信回路Ｔの送信期間Ａの２回分の中で（６個の伝送情報中）、
受信期間Ｃ＞（送信期間Ａ＋受信休止期間Ｄ）
の関係が必要である。ただし、受信期間Ｃが長いと、電源消費が大きくなる。
【００５３】
次に、図５において、受信回路Ｒの受信休止期間Ｄと、送信回路Ｔの送信休止期間Ｂとの関係について説明する。
【００５４】
図５に示す場合、受信休止期間Ｄに対して送信休止期間Ｂが短いと、送信期間Ａの２回分の中で（６個の伝送情報中）、受信可能となる伝送情報数が少なくなるので、
送信休止期間Ｂ＞受信休止期間Ｄ
になる。
【００５５】
しかし、送信休止期間Ｂを長くすると、送信回路Ｔの送信開始から２個分の伝送情報の受信完了が遅くなる。ここで、２個分の伝送情報を受信するのは、データの対比により、通信データの信頼性を保証するためである。
【００５６】
次に、実施例１において、送信回路Ｔの送信期間Ａと送信休止期間Ｂとの関係について説明する。
【００５７】
図６に示す場合、送信期間Ａが長いと、１つの伝送情報が長くなり、受信可能となる伝送情報の数が少なくなる（ｂ１、ｂ２の場合）ので、
送信期間Ａ＞（受信期間Ｃ−送信休止期間Ｂ）
になる。
【００５８】
上記実施例によれば、受信装置Ｒが間欠駆動し（受信休止期間Ｄを挟みながら駆動し）、、送信装置Ｔが、複数の伝送情報を、複数回、送信する（送信休止期間Ｂを挟みながら駆動する）ので、受信装置Ｒの受信期間Ｃに少なくとも１つの伝送情報（伝送情報Ｆ１、Ｆ２、Ｆ３のうちの少なくとも１つの伝送情報）を必ず受信することができ、したがって、受信装置Ｒを間欠駆動させ、送信装置Ｔも間欠駆動するので、双方の消費電力を最低限に抑えることができる。
【００５９】
また、上記実施例によれば、送信装置Ｔの送信期間Ａ内に伝送情報が３個以上存在していれば、送信期間Ａと受信期間Ｃとが重なっているときに、送信期間Ａの２回分で少なくとも１つの伝送情報（伝送情報Ｆ１、Ｆ２、Ｆ３のうちの少なくとも１つ）を、受信装置Ｒが２個分受信することができる。
【００６０】
さらに、上記実施例によれば、受信休止期間Ｄが、受信期間Ｃよりも短いので、送信期間Ａが受信期間Ｃに重なる状態を、必ず実現することができる。
【００６１】
そして、上記実施例によれば、伝送情報Ｆ１、Ｆ２、Ｆ３のそれぞれは同じ情報であって、この伝送情報Ｆ１、Ｆ２、Ｆ３の始まりを示す同期データと、伝送情報を送信しようとする端末のＩＤデータＡＤと、伝送情報を示すメッセージＭＳとによって構成される１組を有し、最低限の情報を備えている。
【００６２】
なお、上記実施例は、無線式の防災システムであるが、有線式の防災システムに適用することができる。
【００６３】
上記実施例は、防災システムであるが、防災システム以外の伝送システムに、上記実施例を適用することができる。
【００６４】
上記実施例によれば、たとえば、火災感知器が送信専用端末であり、音響装置が受信専用端末であるとして説明したが、伝送情報の送受信を行うものとして、それぞれを送受信可能な端末としてもよい。
【００６５】
上記実施例の変形例として、図４（５）に示すような伝送情報Ｆ１のデータに、誤り制御データを付加した場合について、簡単に説明する。
【００６６】
まず、誤り制御データは、通信データの信頼性を保証するための付加データであり、いくつかの種類がある。たとえば、保証する範囲のデータを全て加算した計算結果であるＳＵＭデータ、そのＳＵＭデータの計算結果の２の補数をとった値である−ＳＵＭデータ、保証する範囲のデータを全て排他的論理和した計算結果であるＸＯＲデータ（水平パリティデータ）、または、データを高次の多項式で割り、その余りをチェックコードとしてデータ列に付加するＣＲＣデータ（巡回符号方式）等である。
【００６７】
そして、伝送情報Ｆ１の後段に、上記いずれかの誤り制御データが付加されている場合には、受信装置Ｒによる伝送情報の受信は１個分でよく、上記実施例のように２個分受信して対比する必要はない。
【００６８】
したがって、上記実施例の１つの送信期間Ａに同じ伝送情報を３個以上送信する必要はなく、１個少なく２個以上でよい。その結果、送信期間Ａは、短縮され、送信装置Ｔの送信時の消費電流を低減することができ、同時に、送信期間Ａの短縮に基づいて、受信装置Ｒの受信期間Ｃを、受信休止期間Ｄに近づけることができ、すなわち、受信期間Ｃを短縮することができ、受信装置Ｒの消費電流を低減できるという効果がある。
【００６９】
また、上記実施例の異なる変形例として、図４（１）に示すような送信装置Ｔの送信動作において、伝送情報の送信を開始する送信期間の前に、所定時間のキャリアセンス信号を送信するようにしてもよい。このキャリアセンス信号によって、受信装置Ｒの受信動作を起動することができ、上記実施例のような、受信期間Ｃと受信休止期間Ｄとの繰り返しを常時行う必要はなく、消費電流を低減することができる。
そして、動作について簡単に説明すると、送信装置Ｔに送信すべき情報が発生し、まず、送信装置Ｔが、所定時間のキャリアセンス信号を送信する。このキャリアセンス信号は、所定の周波数での発振信号等、受信装置Ｒがフィルタ処理等で識別して有無を検出できる信号である。
【００７０】
キャリアセンス信号を受信した受信装置Ｒは、伝送情報を受信する準備を行い、上記実施例のような、受信期間Ｃと受信休止期間Ｄとの繰り返しを所定回数、たとえば５回繰り返す。
【００７１】
また、送信装置Ｔは、キャリアセンス信号を送信する所定時間が経過した後に、上記実施例のような、送信期間Ａと送信休止期間Ｂとの繰り返しを所定回数、たとえば５回繰り返す。
【００７２】
これら、送信装置Ｔの送信動作と受診装置Ｒの受信動作とは、受信装置Ｒのキャリアセンス信号の受信タイミングや受信期間Ｃの開始タイミングが決まっていないので同期しないが、繰り返し動作の中で、伝送情報は、受信装置Ｒによって受信される。
【図面の簡単な説明】
【００７３】
【図１】本発明の実施例１である無線式防災システム１００を示すブロック図である。
【図２】防災システム１００に使用されている火災感知器ＳＥａを示すブロック図である。
【図３】防災システム１００に使用されている音響装置２０を示すブロック図である。
【図４】防災システム１００の動作を示すタイムチャートである。
【図５】実施例１において、受信回路Ｒの出力信号のＯＮ信号が終了する直前に、送信回路Ｔが送信を開始する場合におけるタイムチャートを示す図である。
【図６】実施例１において、受信回路Ｒの出力信号のＯＦＦ信号が終了する直前に、送信回路Ｔが送信を開始する場合におけるタイムチャートを示す図である。
【符号の説明】
【００７４】
１００…無線式防災システム、
Ｔ…送信装置、
ＳＥａ…火災感知器、
１１…火災検出部、
１５…送信回路Ｔ、
１６…電圧監視回路、
１７…制御部、
１９…表示灯、
ＳＥｂ…ガス漏れ検知器、
ＳＥｃ…火災発信機、
Ｒ…受信装置、
２０…音響装置、
２１…アンテナ、
２２…受信回路Ｒ、
２３…制御部、
２７…電圧監視回路、
２８…駆動回路、
２９…スピーカ、
３０…発光装置、
４０…振動装置、
ｔ１…送信回路Ｔの送信開始タイミング、
ｔ２…２つの伝送情報の受信が完了したタイミング。
【図１】
0004711421.tif 000002
【図２】
0004711421.tif 000003
【図３】
0004711421.tif 000004
【図４】
0004711421.tif 000005
【図５】
0004711421.tif 000006
【図６】
0004711421.tif 000007